(57)【要約】【課題】  作業をしながら使用できる、目の周囲に効率よく温熱を与え、目の疲労回復又は視力向上を助けるための温熱具を提供する。【解決手段】  両目を含む顔面を覆うことができ、目に対応する位置に開口が形成されており、この開口の周囲に、空気の存在下で発熱する発熱組成物が収容された室からなる発熱部材が配されている本体部及び本体部を顔面に装着することができる装着部を有する温熱体と、視界を与える小孔を有し、前記本体部の開口に嵌合させた状態で温熱体の開口面から突出する目覆い部材とを含む、アイマスク型温熱具。【選択図】  図６
2020151472.tif 000002
【特許請求の範囲】
【請求項１】
両目を含む顔面を覆うことができ、目に対応する位置に開口が形成されており、この開口の周囲に、空気の存在下で発熱する発熱組成物が収容された室からなる発熱部材が配されている本体部及び本体部を顔面に装着することができる装着部を有する温熱体と、視界を与える小孔を有し、前記本体部の開口に嵌合させた状態で温熱体の開口面から突出する目覆い部材とを含む、アイマスク型温熱具。
【請求項２】
前記目覆い部材が、温熱体を顔面に装着した状態で睫毛に接しない程度の高さで突出する、請求項１記載の温熱具。
【請求項３】
前記発熱部材が、前記本体部の開口の上側及び下側に独立に配置される上下1対の発熱部材である、請求項１又は２記載の温熱具。
【請求項４】
前記目覆い部材が、前記本体部の開口に嵌合する嵌合部を有する、請求項１〜３のいずれか１項記載の温熱具。
【請求項５】
前記嵌合部が、前記本体部の開口の周囲に嵌まる部分と、前記本体部の開口を形成する部分の裏面に当接する部分と、前記本体部の開口を形成する部分の表面に当接する部分とで形成される、請求項４記載の温熱具。
【請求項６】
前記本体部の発熱部材の厚み寸法が、目覆い部材の前記本体部の開口を形成する部分の裏面に当接する部分の厚み寸法より厚い、請求項５記載の温熱具。
【請求項７】
前記目覆い部材が前記本体部の開口から外れているとき、本体部に形成される開口の輪郭と目覆い部材の前記本体部の開口の周囲に嵌まる部分の輪郭とが略相似であり、自由状態での本体部に形成される開口の輪郭の高さ寸法が自由状態での目覆い部材の開口の周囲に嵌まる部分の輪郭の高さ寸法より小さい、請求項５又は６記載の温熱具。
【請求項８】
前記本体部の開口を形成する部分の裏面に当接する部分が、前記本体部の開口の周の全周にわたる環状の形状を有する、請求項５〜７のいずれか１項記載の温熱具。
【請求項９】
前記本体部の開口を形成する部分の表面に当接する部分が、前記本体部の開口の周の複数の箇所に当たる突起状の形状を有する、請求項５〜８のいずれか１項記載の温熱具。
【請求項１０】
前記温熱体が気密性外袋に収容されている、請求項１〜９のいずれか１項記載の温熱具。
【発明の詳細な説明】
【技術分野】
【０００１】
本発明は、空気（酸素）と反応して発熱する発熱組成物を使用する、目の周囲に温熱を適用することができるアイマスク型の温熱具に関する。
【背景技術】
【０００２】
近年、パソコンやスマートフォン、カーナビなどの普及に伴い、ビジュアルディスプレイ端末を長時間凝視することが増えたことによる視力低下や眼精疲労が増え、社会的に問題になっている。眼の痛み、かすみ、充血などの目の症状や、頭痛、肩こり、吐き気などの全身症状を含む眼精疲労の症状は、眼球ではなく、目の周りの筋肉が硬くなり血流が悪くなることから生じるといわれ、原因となる視器の異常や全身疾患などがない場合でも起こる。
【０００３】
眼精疲労をはじめとする目の疲労の改善には、点眼剤や内服薬による治療が行われるが、「攅竹（さんちく）」、「太陽（たいよう）」のような目の疲労を緩和するツボは目の周りに密集しているため、簡易的に蒸しタオルや温熱体などで目を温めたり、冷やしたりする処置が行われている（たとえば、特許文献１〜９、１０など）。
【０００４】
このような目に適用するタイプの温熱体は、眼を閉じて使用するもののほか、眼を開けて使用することができる眼鏡型の温熱体も考案されている。温熱の適用により血流改善などのある程度の効果は期待される。
【０００５】
一方で、円形の小孔が開いた穴から焦点を合わせて覗くと、水晶体の厚みを調節している毛様体筋をさほど使う必要がなくなるため、疲労していた毛様体筋が活力をとりもどし、遠くにピントを合わせやすくなるといわれている。また、光の調節を行なう虹彩筋が刺激又は強化され、光の量を絞っている瞳孔をより小さく絞ることができ、網膜に光が届きやすくなることより、目の疲労の緩和や視力回復、老眼防止が期待できるといわれている。このことを利用して、たとえば、特許文献１１には、円形の小孔を穿設したシートを介して覗くことにより、ディスプレイを見たときの目の疲労が回復することが記載されている。
【先行技術文献】
【特許文献】
【０００６】
【特許文献１】特開２００２−６５７１４号公報
【特許文献２】特開２００３−９３４３１号公報
【特許文献３】特開２００４−１２１５１０号公報
【特許文献４】特開２００７−２８９６８２号公報
【特許文献５】特開２００８−２９５８５２号公報
【特許文献６】実登３０３９３５６号公報
【特許文献７】特開２００３−３１０６５４号公報
【特許文献８】特開２００９−０８２５７０号公報
【特許文献９】特開２００５−２８８０５８号公報
【特許文献１０】特開平１１−２２１２４７号公報
【特許文献１１】特開平６−２６９４７２号公報
【発明の概要】
【発明が解決しようとする課題】
【０００７】
本発明は、作業をしながら使用できる、目の周囲に効率よく温熱を与え、目の疲労回復又は視力向上を助けるための温熱具を提供することを目的とする。
【課題を解決するための手段】
【０００８】
本発明によれば、
〔１〕  両目を含む顔面を覆うことができ、目に対応する位置に開口が形成されており、この開口の周囲に、空気の存在下で発熱する発熱組成物が収容された室からなる発熱部材が配されている本体部及び本体部を顔面に装着することができる装着部を有する温熱体と、視界を与える小孔を有し、前記本体部の開口に嵌合させた状態で温熱体の開口面から突出する目覆い部材とを含む、アイマスク型温熱具；
〔２〕  前記目覆い部材が、温熱体を顔面に装着した状態で睫毛に接しない程度の高さで突出する、前記〔１〕記載の温熱具；
〔３〕  前記発熱部材が、前記本体部の開口の上側及び下側に独立に配置される上下1対の発熱部材である、前記〔１〕又は〔２〕記載の温熱具；
〔４〕  前記目覆い部材が、前記本体部の開口に嵌合する嵌合部を有する、前記〔１〕〜〔３〕のいずれか１項記載の温熱具；
〔５〕  前記嵌合部が、前記本体部の開口の周囲に嵌まる部分と、前記本体部の開口を形成する部分の裏面に当接する部分と、前記本体部の開口を形成する部分の表面に当接する部分とで形成される、前記〔４〕記載の温熱具；
〔６〕  前記本体部の発熱部材の厚み寸法が、目覆い部材の前記本体部の開口を形成する部分の裏面に当接する部分の厚み寸法より厚い、前記〔５〕記載の温熱具；
〔７〕  前記目覆い部材が前記本体部の開口から外れているとき、本体部に形成される開口の輪郭と目覆い部材の前記本体部の開口の周囲に嵌まる部分の輪郭とが略相似であり、自由状態での本体部に形成される開口の輪郭の高さ寸法が自由状態での目覆い部材の開口の周囲に嵌まる部分の輪郭の高さ寸法より小さい、前記〔５〕又は〔６〕記載の温熱具；
〔８〕  前記本体部の開口を形成する部分の裏面に当接する部分が、前記本体部の開口の周の全周にわたる環状の形状を有する、前記〔５〕〜〔７〕のいずれか１項記載の温熱具；
〔９〕  前記本体部の開口を形成する部分の表面に当接する部分が、前記本体部の開口の周の複数の箇所に当たる突起状の形状を有する、前記〔５〕〜〔８〕のいずれか１項記載の温熱具；
〔１０〕  前記温熱体が気密性外袋に収容されている、前記〔１〕〜〔９〕のいずれか１項記載の温熱具
が提供される。
【発明の効果】
【０００９】
本発明によれば、小孔が開いた目覆い部材と目の周辺を温める温熱体とを組み合わせた構造によって、良好な視界を得ながら、目の周辺の血流改善やツボの刺激を行い、疲労していた毛様体筋を効果的に休息させ、迅速に目又は眼の疲労の緩和、爽快感をもたらすと共に、視力回復を助けるために使用することができるアイマスク型温熱具が提供される。また、本発明により、仕事中にパソコンやスマートフォンを操作しながらの温熱体の使用も可能となる。
【００１０】
また、本発明の温熱体は、従来と比較して工程の変更が少なく、従来と同じ製造設備によって容易に製造することができるので、生産技術、品質管理及び経済性の点において有利である。
【図面の簡単な説明】
【００１１】
【図１】図１は、本発明の温熱具の一例を、表側（外気側）から見た平面図である。（Ａ）は、温熱体の本体部に目覆い部材を嵌合した状態を、（Ｂ）は、嵌合前の状態を、それぞれ表す。
【図２】図２は、図１に示す本発明の温熱具を裏側（顔面側）から見た平面図である。（Ａ）は、使用時の状態であり、（Ｂ）は、装着部（耳掛け部材）が切り離され左右に広げられていない使用前の状態である。（Ｃ）は、異なる形態の発熱部材の例である。
【図３】図３は、図１に示す本発明の温熱具の横断面図である。（Ａ）は、図１（Ａ）及び図２（Ａ）のａ-ａ’線で切断した横断面図であり、（Ｂ）は、図１（Ａ）及び図２（Ａ）のｂ−ｂ’線で切断した横断面図である。
【図４】図４は、図１に示す本発明の温熱具の目覆い部材の拡大図である。（Ａ）、（Ｂ）及び（Ｃ）は、それぞれ表側、裏側、側面から見た図である。
【図５】図５は、本発明の温熱具の目覆い部材の小孔の例である。
【図６】図６は、図１に示す本発明の温熱具の使用状態を示す斜視図である。
【発明を実施するための形態】
【００１２】
本発明の温熱体の本体部は、両目を含む顔面の一部又は全部を覆う形状と大きさを有し、空気の存在下で発熱する発熱組成物が収容された室（セル、区画）からなる発熱部材を１以上、好ましくは２以上有する。各室は、少なくとも一部が通気性を有する包材で形成されており、発熱組成物が封入されている。本体部の目に対応する位置には、開口が設けられる。発熱部材は、本体部の開口の周囲に配置され、環状でもよいが、弧状、Ｌ字型などの任意の形であることもでき、上下1対として、本体部の開口の上側及び下側に独立に配置されることが望ましい。
【００１３】
本発明の温熱体において、本体部を構成する包材は、非通気性包材又は通気性包材であることができるが、発熱部材の包材は、少なくとも一部が通気性を有するように選択される。
【００１４】
包材は、発熱組成物を収容する袋体の形成に適している限りにおいて、材質、厚さ、構成等に関し特に限定はない。包材は一般的には樹脂フィルムを含んでおり、フィルムを構成する樹脂としては、一般に、ポリエチレン（ＰＥ）、ポリプロピレン（ＰＰ）、ポリエステル、ポリアミド、ポリビニルアルコール、ポリ塩化ビニル、ポリ塩化ビニリデン、ポリウレタン、ポリスチレン、エチレン−酢酸ビニル共重合体、ポリカーボネート、塩酸ゴム等の単独又は組み合わせが挙げられる。
【００１５】
通気性フィルムとしては、一般に単層又は多層の多孔質フィルム（特に延伸多孔質フィルム）等が用いられる。多孔質フィルムを構成する樹脂としては、ポリエチレン、ポリプロピレン及びポリフッ化エチレン等が挙げられる。これらのうち、ポリエチレンが好ましく、中でも線状低密度ポリエチレン（ＬＬＤＰＥ）が加工性等の点からより好ましい。これらは単独で又は組み合わせて用いることができる。通気性の包材は、非多孔質非通気性フィルムに適当な孔径の孔を穿孔したものであってもよい。
【００１６】
発熱組成物を収容する室を形成する際に、表包材及び裏包材を接着するが、これは現在、一般的にヒートシールにより行われている。したがって、現行の温熱体製造設備をそのまま用いて袋体を製造するためには、袋体の内側となって発熱組成物と接する側の面（他方の包材と接着される面）は、ヒートシール可能な樹脂で形成されていることが好ましい。ヒートシール可能な樹脂の層は、ヒートシールされるべき周縁部のみに設けられていてもよい。このようなヒートシール可能な樹脂は公知であり、特に好ましいものとしては、シングルサイト触媒を用いて製造されたポリエチレン等が挙げられる。
【００１７】
包材の最外層には、不織布が積層されることが好ましい。不織布は、ポリエチレンテレフタレート（ＰＥＴ）、ナイロン、レーヨン、ポリエステル、ビニロン、アセテート、アクリル、ポリエチレン、及び／又はポリプロピレンなどの材質から選択することができ、ポリオレフィン系の不織布としては、ポリプロピレン不織布、ポリエチレン不織布又はポリプロピレンとポリエチレンとの複合不織布が挙げられる。また、不織布の製法としては、スパンレース、スパンボンド、メルトブローン、サーマルボンドなどがあるが、いずれでもよく、単層でも積層でもよい。不織布は、一般に目付け１０〜２００g/m２程度、好ましくは目付け１５〜１００g/m２程度が好ましい。
【００１８】
その他、所望により、包材として、紙、アルミシート、発泡ポリウレタン、ポリ塩化ビニル等の人工繊維、綿、麻、絹などの布、あるいはこれらの積層品を使用することができる。
【００１９】
本発明の温熱体において、発熱組成物としては、空気（酸素）の存在下において発熱し得るものであれば特に制限はなく、従来公知の任意のものを使用することができる。発熱組成物は、一般に、鉄粉などの被酸化金属粉からなる主剤と、活性炭、塩類、水、吸水性樹脂及び／又はバーミキュライトなどの補助剤とを含み、粉末状、クリーム状、シート状、タブレット状などの態様であることができる。
【００２０】
本体部の周縁部には、温熱具を顔面に装着するための装着部が設けられる。装着部は、耳に掛けるループやフックなどの形状の耳掛け部材、頭の後ろに掛けるバンドなどであることができる。材料としては、たとえば、上記のような各種の包材、不織布、エラストマー、ゴムなどが挙げられる。使用者の体型の差に応じて適度な強さで温熱体が顔面に装着されるように、伸縮性がある材料を使用することが望ましい。
【００２１】
目覆い部材は、本体部の開口に適合する形状及び大きさであり、小孔を有する。目覆い部材は、使用時に目を開けていても睫毛が部材に当たらない程度の高さを有し、温熱体の開口面から外側へ突出させて使用時の違和感を軽減するのが望ましい。具体的には、たとえば温熱体の開口の面から目覆い部材の中央までの厚みを５ｍｍ以上とすることが望ましく、６ｍｍ以上とすることがより望ましい。上限は特にないが、コンパクトに保存する便宜上などの観点で１５ｍｍ以下が望ましく、１０ｍｍ以下がさらに望ましい。また、目覆い部材の小孔を設けられる部分（目覆い部）の形態は、平面（すなわち、目覆い部材は底面のない円柱形、楕円柱形など）でもよく、ドーム形、半球形などの曲面でもよい。材質は特に限定されないが、弾力性及び／又は遮光性のある成形容易な材料、たとえばシリコーンゴムなどのゴム、各種樹脂が好ましい。目覆い部材は、これらの材料を用いて所望の形態に成形して製造することができる。
【００２２】
小孔は、眼に対応する位置にあり、温熱具を装着したときに視界が得られるものであればよく、１個でも複数個でもよい。小孔の形は、円形又は楕円形などのピンホール状（たとえば直径又は長径１〜３ｍｍ程度）、スリット状（たとえば幅１〜３ｍｍ程度）などであることができる。目覆い部材は、予め温熱体と一体化されて、気密性外袋に封入されていてもよく、あるいは、使用時まで温熱体とは別にしておき、使用時に気密性外袋から出した温熱体と一体化してもよい。一体化は、目覆い部材及び／又は本体部の孔に嵌合する嵌合部を設けて嵌合させてもよく、接着剤で接着してもよい。
【００２３】
目覆い部材の嵌合部は、本体部の開口の周囲に嵌まる部分と、本体部の開口を形成する部分の裏面に当接する部分と、本体部の開口を形成する部分の表面に当接する部分とで形成されることが望ましい。目覆い部材の形及び大きさと開口の形及び大きさは、使用中に違和感なく安定して目覆い部材が本体部に保持されるように選択する。前記目覆い部材が前記本体部の開口から外れているとき、本体部に形成される開口の輪郭と目覆い部材の前記本体部の開口の周囲に嵌まる部分の輪郭とが略相似であり、自由状態（ここで、自由状態とは外力が作用せず自由になった状態を指す。）での本体部に形成される開口の輪郭の高さ寸法が自由状態での目覆い部材の開口の周囲に嵌まる部分の輪郭の高さ寸法より小さいことが望ましい。
【００２４】
本体部の開口を形成する部分の裏面に当接する部分及び本体部の開口を形成する部分の表面に当接する部分は、それぞれ、開口の周の全周にわたる環状の形状を有することができ、あるいは開口の周の１以上の箇所に当たる突起状の形状を有することができる。目覆い部材を接着剤や特別な工具を使用せずに嵌合させる場合、好ましくは、本体部の開口を形成する部分の裏面に当接する部分は、開口の周の全周にわたる環状の形状を有し、本体部の開口を形成する部分の表面に当接する部分は、開口の周の複数の箇所に当たる突起状の形状を有する。また、目覆い部材を裏面側から嵌め込み、接着固定する場合、開口を形成する部分の表面に当接する部分は設けず、裏面に当接する部分のみとしてもよい。使用時に温熱が顔面に効率的に伝わるように、開口を形成する部分の裏面に当接する部分は、発熱部材の厚みと同一又はそれ以下の厚みであることが望ましい。言い換えれば、本体部の発熱部材の厚み寸法は、目覆い部材の、本体部の開口を形成する部分の裏面に当接する部分の厚み寸法よりも厚いことが望ましい。
【００２５】
本発明の温熱体を、図面を参照して説明する。図１は、ある態様の本発明の温熱具の、表面側（外気側）から見た平面図である。（Ａ）は本体部に目覆い部分を嵌合した使用時の状態であり、（Ｂ）は目覆い部材嵌合前の状態である。この態様においては、装着部はループ状の耳掛け部材であり、目覆い部材には十字形に配された５個の小孔が設けられ、目覆い部材の嵌合部には、本体部の開口部分の表面に当接する４個の突起が設けられている。
【００２６】
図２は、図１（Ａ）に示す本発明の温熱具を、裏面側（顔面と接する側）から見た平面図である。この態様においては、発熱部材は開口を取り巻くように各開口の上下に２個ずつ形成されており、目覆い部材の嵌合部の、本体部の開口部分の裏面に当接する部分が環形に形成されている。図２（Ｂ）に示すように、この態様の装着部（耳掛け部材）は、ミシン目などの切れ目を入れた１枚のシートで形成し、両端のみを本体部の両側に固定しておき、使用時にミシン目を切り離して左右に広げることができる。なお、図２（Ｂ）では目覆い部材が嵌合された状態で示されているが、嵌合前の状態で同様の構成の装着部を製造してもよい。図２（Ｃ）は、発熱部材を弧の形に形成した例である。
【００２７】
図３（Ａ）及び（Ｂ）は、図１（Ａ）及び図２（Ａ）のａ−ａ’線及びｂ−ｂ’線でそれぞれ切断した横断面図であり、温熱具の左側が外気に接する表面側、右側が顔面に接する裏面側である。この態様においては、発熱組成物が収容されている室からなる発熱部材３は、開口の周囲に裏面側のみが発熱組成物によって盛り上がるように形成されているが、表面側のみ又は両面が盛り上がるようにしてもよい。目覆い部材は、開口のある面に関して表面側に突出しており、裏面側の嵌合部材は、発熱部材より厚さが薄くなるように作られている。図３（Ａ）は、目覆い部材の嵌合部において、本体部の開口の周囲に嵌まる部分の両側に位置する、本体部の開口を形成する部分の表面に当接する部分（図４（Ｃ）の突起）と、本体部の開口を形成する部分の裏面に当接する部分とで、本体部の開口を形成する部分が挟まれている位置の断面を示す。図３（Ｂ）は、目覆い部材の小孔の位置の断面を示す。図３（Ｂ）において、本体部の発熱部材の厚み寸法Ｌ２は、目覆い部材の、本体部の開口を形成する部分の裏面に当接する部分の厚み寸法Ｌ１より厚いことが示されている。
【００２８】
図４は、図１の態様の温熱具の目覆い部材の拡大図である。（Ａ）は表面側、（Ｂ）は裏面側であり、（Ｃ）は横断面図である。小孔５１、突起状の表面側部分５２、嵌合する部分５３、環状の裏面側部分５４からなる嵌合部が示されている。この目覆い部材は、本体部の開口から外れているとき、本体部に形成される開口（図１（Ｂ））の輪郭と目覆い部材の開口の周囲に嵌まる部分の輪郭（図４（Ｂ））が略相似であり、自由状態での本体部に形成される開口の輪郭の高さ寸法（図１（Ｂ）、Ｈ１）が自由状態での目覆い部材の開口の周囲に嵌まる部分の輪郭の高さ寸法（図４（Ｂ）、Ｈ２）より小さい。
【００２９】
図５は、表面側から見た目覆い部材の小孔の例である。目覆い部材は楕円形で示されているが、円形、多角形などであってもよい。
【００３０】
図６は、図１に示した温熱具の使用状態を示す斜視図である。
【００３１】
図面に示した態様を一例として、多種多様な態様の本発明の温熱具を企図することができる。そのような本発明の温熱具の温熱体は、従来の一般的な使い捨てカイロや温湿布構造体と基本的に同様の材料及び方法を用いることにより製造することができる。
【００３２】
本発明の温熱具には、必要に応じて、さらに付加的な任意の要素を追加することができる。製造された温熱具の少なくとも温熱体は、実質的に酸素透過性のない（気密性の）外袋に密封されて、使用時まで保存される。このような外袋も公知であり、任意のものを採用することができる。
【実施例】
【００３３】
＜製造例＞
ＰＥＴスパンレース不織布（目付３０ｇ／ｍ２；シンワ社製）とＰＥ多孔質フィルム（７０μｍ、王研式通気度９，０００秒／１００ｃｃ；興人フィルム＆ケミカルズ社製）とをドライラミネートした通気膜と、ニードルパンチ不織布（目付８０ｇ／ｍ２；南通科迪医用材料有権公司製）とＰＥフィルム（４０μｍ；江陰宝柏包装有限公司製）とをドライラミネートした積層シート（裏基材）を、それぞれ表面側及び裏面側の包材として使用した。通気膜に重ねた裏基材の両サイドに、予め、耳掛け部材用の伸縮性不織布（目付４５ｇ／ｍ２；温州特康弾力科技有限公司製）をヒートシールした。これを、外形寸法縦８５ｍｍ×横１９０ｍｍに切断し、目に対応する位置に縦２１ｍｍ×横３４ｍｍの楕円形の開口を２つ開け、各孔の上下に通気膜及び裏基材の間に発熱組成物を３ｇずつ充填し、周囲をヒートシールして封入した。発熱組成物としては、鉄粉（パウダーテック社製）５８．７％、活性炭（キャタラー社製）６．２％、バーミキュライト（ベルミテック社製）５．２％、吸水性ポリマー（三洋化成社製）２．６％、並み塩（日本海水社製）２．６％、水２３．７％を混合して作製した発熱組成物を使用した。なお、％はすべて重量％である。
【００３４】
その後で、温熱体に設けておいた縦２１ｍｍ×横３４ｍｍの楕円形の開口2箇所に、この開口とほぼ一致するサイズの、直径1ｍｍの小孔が５か所空いた高さ８ｍｍのシリコーンゴム製カップ（天津普納科技社製）を、顔面に装着した際に外側に突出するように裏面から嵌め込み、一体化した。
最後に、完成した温熱具をアルミ箔外袋に封入、熱シールした。
【００３５】
＜試験例＞
３０代〜４０代の被験者に対し、上記のとおり製造した温熱具（実施例１）の使用後に視力検査を行った。アルミ箔外袋から温熱具を取り出し、通気膜面を表面に裏基材面を眼側にして耳かけを装着し、２０分間使用した。視力検査は、眼育綜研事務局の簡易視力検査表を用いて、３ｍ離れた位置からＣマークの開き部の向きを回答させ、横一列に並んだ同じサイズの５つのＣマークのうち３つ以上正解した場合に、その視力数値をクリアとした。被験者がクリアできた最大の視力数値をその被験者の視力として記録した。
【００３６】
比較のため、何も装着しない場合（使用前）と、発熱組成物を入れずに製造され発熱しないこと以外は本発明の温熱具と同じ形態のピンホールアイマスク（比較例１）を２０分間装着した場合と、ピンホールのある目覆い部材を取り付けていないこと以外は本発明の温熱具と同じである温熱アイマスク（比較例２）を２０分装着した場合とに、同様に視力検査をして視力を記録した。
結果を表１に示す。
【００３７】
【表１】
2020151472.tif 000003
【００３８】
以上の結果から、本発明の温熱具は目の疲労回復や視力向上のために簡便に使用でき、使用感も優れていることが確認された。
【符号の説明】
【００３９】
１    温熱体（本体部）
２    温熱体（装着部）
３    発熱部材
３１  発熱組成物
４    開口
５    目覆い部材
５１  小孔
５２  開口表面に当接する部分
５３  開口に嵌まる部分
５４  開口裏面に当接する部分
【図１】
2020151472.tif 000004
【図２】
2020151472.tif 000005
【図３】
2020151472.tif 000006
【図４】
2020151472.tif 000007
【図５】
2020151472.tif 000008
【図６】
2020151472.tif 000009